(57)【特許請求の範囲】
【請求項１】
駐車違反の取り締まり業務を支援する駐車違反業務用携帯端末であって、
地図情報と、駐車違反に関連する施設情報と、罰条ごとに駐車違反の適用要件を定義した駐車違反適用ルールとを記憶する記憶手段と、
前記地図情報を表示手段に表示する地図表示手段と、
前記地図表示手段により表示された地図上で車両駐車位置として指定された位置から一定範囲内にある施設の情報を前記施設情報から抽出する施設情報抽出手段と、
前記施設情報抽出手段により抽出された施設の情報と、前記駐車違反適用ルールとを照合して適用すべき駐車違反の罰条を選択する適用条文選択手段と
を備えたことを特徴とする駐車違反業務用携帯端末。
【請求項２】
前記記憶手段は、駐車違反地点の見取り図を作成するための見取り図オブジェクトを前記施設情報と関連付けて記憶し、
前記施設情報抽出手段により抽出された施設の情報のうち、車両駐車位置として指定された位置との関係において所定の罰条の適用要件に適合する施設の情報を選択し、この施設と関連付けられている前記見取り図オブジェクトを用いて駐車違反地点の見取り図を生成する見取り図生成手段をさらに備えたことを特徴とする請求項１に記載の駐車違反業務用携帯端末。
【請求項３】
地図上で車両駐車位置として指定された位置と、前記施設情報抽出手段により抽出された各施設との距離を求める距離算出手段をさらに備え、
前記適用条文選択手段は、前記施設情報抽出手段により抽出された施設の情報と、前記距離算出手段により求められた各施設と車両駐車位置との距離と、前記駐車違反適用ルールとを照合して適用すべき駐車違反の罰条を選択することを特徴とする請求項１または２に記載の駐車違反業務用携帯端末。
【請求項４】
前記駐車違反適用ルールは、駐車違反に係る罰条の条文の要件部分を所定のタグで囲む形式で定義されていることを特徴とする請求項１または２に記載の駐車違反業務用携帯端末。
【請求項５】
駐車違反の取り締まり業務を支援する駐車違反業務用プログラムであって、
地図情報を表示手順に表示する地図表示手順と、
前記地図表示手順により表示された地図上で車両駐車位置として指定された位置から一定範囲内にある施設の情報を予め記憶された施設情報から抽出する施設情報抽出手順と、前記施設情報抽出手順により抽出された施設の情報と、罰条ごとに駐車違反の適用要件を定義した駐車違反適用ルールとを照合して適用すべき駐車違反の罰条を選択する適用条文選択手順と
をコンピュータに実行させることを特徴とする駐車違反業務用プログラム。
【発明の詳細な説明】
【技術分野】
【０００１】
本発明は、駐車違反の取り締まり業務を支援する駐車違反業務用携帯端末および駐車違反業務用プログラムに関し、特に、駐車違反業務における罰条の特定や見取り図の作成を支援することができる駐車違反業務用携帯端末および駐車違反業務用プログラムに関する。
【背景技術】
【０００２】
近年、放置駐車されている車両の取り締まり業務の一部が民間に委託され、所定の資格を有する駐車監視員が放置駐車されている車両の確認をおこなうようになっている。駐車監視員は、資格試験に合格した者であり、駐車違反に関する一定の法知識等を有するが、実際の現場は道路形状等が複雑であるため、放置駐車されている車両が駐車違反であるか否か、また、駐車違反であるとして該当するのはどの罰条であるかを正しく判断することは難しい。このため、駐車監視員による駐車違反業務を支援し、駐車違反の確認を容易にする技術の実現が強く要望されている。
【０００３】
交通違反に関する取締りを支援する技術としては、たとえば、特許文献１により開示されている技術がある。この技術は、車両に搭載されたナビゲーション装置が、公道に設定されている駐車禁止等の各種の交通規制情報を含んだ地図情報媒体を読み取り、各種センサからの入力に基づいて当該の車両が交通規制に適合した状態であるかを確認し、不適合レベルにあると判断した場合に違反情報を取り締まりセンターへ通知するというものである。
【０００４】
【特許文献１】特開２００２−３１２８９７号公報
【発明の開示】
【発明が解決しようとする課題】
【０００５】
しかしながら、特許文献１において開示されている技術は、駐車違反の取締りを特に考慮したものではないため、駐車違反業務を十分に支援することができない。まず、駐車違反においては、違反の根拠となる罰条が複数該当する場合があり、それらの罰条から適切なものを選択する必要があるが、特許文献１において開示されている技術は違反している事実を検出するのみで、罰条の特定を支援することができない。
【０００６】
また、駐車違反の報告のためには、現場の見取り図を作成することが必要であり、この見取り図の作成は、道路形状等によっては非常に手間がかかる作業であるが、特許文献１において開示されている技術では、かかる見取り図の作成作業を効率化することもできない。
【０００７】
本発明は、上記に鑑みてなされたものであって、駐車違反業務における罰条の特定や見取り図の作成を支援することができる駐車違反業務用携帯端末および駐車違反業務用プログラムを提供することを目的とする。
【課題を解決するための手段】
【０００８】
上述した課題を解決し、目的を達成するために、本発明は、駐車違反の取り締まり業務を支援する駐車違反業務用携帯端末であって、地図情報と、駐車違反に関連する施設情報と、罰条ごとに駐車違反の適用要件を定義した駐車違反適用ルールとを記憶する記憶手段と、前記地図情報を表示手段に表示する地図表示手段と、前記地図表示手段により表示された地図上で車両駐車位置として指定された位置から一定範囲内にある施設の情報を前記施設情報から抽出する施設情報抽出手段と、前記施設情報抽出手段により抽出された施設の情報と、前記駐車違反適用ルールとを照合して適用すべき駐車違反の罰条を選択する適用条文選択手段とを備えたことを特徴とする。
【０００９】
また、本発明は、駐車違反の取り締まり業務を支援する駐車違反業務用プログラムであって、地図情報を表示手順に表示する地図表示手順と、前記地図表示手順により表示された地図上で車両駐車位置として指定された位置から一定範囲内にある施設の情報を予め記憶された施設情報から抽出する施設情報抽出手順と、前記施設情報抽出手順により抽出された施設の情報と、罰条ごとに駐車違反の適用要件を定義した駐車違反適用ルールとを照合して適用すべき駐車違反の罰条を選択する適用条文選択手順とをコンピュータに実行させることを特徴とする。
【００１０】
この発明によれば、車両の駐車位置から一定の範囲内にある施設の情報を取得し、この情報と予め定義された罰条の適用ルールとを照合して適用すべき罰条の候補を選択するように構成したので、駐車違反業務に熟練していない担当者であっても、放置駐車車両に適用すべき罰条を候補の中から間違いなく、かつ、容易に特定することができる。
【００１１】
また、本発明は、上記の発明において、前記記憶手段は、駐車違反地点の見取り図を作成するための見取り図オブジェクトを前記施設情報と関連付けて記憶し、前記施設情報抽出手段により抽出された施設の情報のうち、車両駐車位置として指定された位置との関係において所定の罰条の適用要件に適合する施設の情報を選択し、この施設と関連付けられている前記見取り図オブジェクトを用いて駐車違反地点の見取り図を生成する見取り図生成手段をさらに備えたことを特徴とする。
【００１２】
この発明によれば、車両の駐車位置から一定の範囲内にある施設のうち、所定の罰条の適用ルールに適合する施設を選択し、この施設に関する見積り図を予め施設ごとに格納された図形情報から生成するように構成したので、適切な罰条を選択するだけで、駐車違反の報告に必要な見積り図を自動的に作成することができる。
【００１３】
また、本発明は、上記の発明において、地図上で車両駐車位置として指定された位置と、前記施設情報抽出手段により抽出された各施設との距離を求める距離算出手段をさらに備え、前記適用条文選択手段は、前記施設情報抽出手段により抽出された施設の情報と、前記距離算出手段により求められた各施設と車両駐車位置との距離と、前記駐車違反適用ルールとを照合して適用すべき駐車違反の罰条を選択することを特徴とする。
【００１４】
この発明によれば、車両の駐車位置から一定の範囲内にある施設と車両の駐車位置との距離を算出し、この距離情報も考慮して罰条の候補を選択するように構成したので、施設と駐車位置との距離が適用要件に含まれる罰条の適用可否を正確に判断することができる。
【００１５】
また、本発明は、上記の発明において、前記駐車違反適用ルールは、駐車違反に係る罰条の条文の要件部分を所定のタグで囲む形式で定義されていることを特徴とする。
【００１６】
この発明によれば、罰条の条文にタグを埋め込むことで条文そのものを罰条の適用ルールとして利用するように構成したので、適用要件をもらすことなく罰条の適用ルールを正確に定義することができる。
【発明の効果】
【００１７】
本発明によれば、車両の駐車位置から一定の範囲内にある施設の情報を取得し、この情報と予め定義された罰条の適用ルールとを照合して適用すべき罰条の候補を選択するように構成したので、駐車違反業務に熟練していない担当者であっても、放置駐車車両に適用すべき罰条を候補の中から間違いなく、かつ、容易に特定することができるという効果を奏する。
【００１８】
また、本発明によれば、車両の駐車位置から一定の範囲内にある施設のうち、所定の罰条の適用ルールに適合する施設を選択し、この施設に関する見積り図を予め施設ごとに格納された図形情報から生成するように構成したので、適切な罰条を選択するだけで、駐車違反の報告に必要な見積り図を自動的に作成することができるという効果を奏する。
【００１９】
また、本発明によれば、車両の駐車位置から一定の範囲内にある施設と車両の駐車位置との距離を算出し、この距離情報も考慮して罰条の候補を選択するように構成したので、施設と駐車位置との距離が適用要件に含まれる罰条の適用可否を正確に判断することができるという効果を奏する。
【００２０】
また、本発明によれば、罰条の条文にタグを埋め込むことで条文そのものを罰条の適用ルールとして利用するように構成したので、適用要件をもらすことなく罰条の適用ルールを正確に定義することができるという効果を奏する。
【発明を実施するための最良の形態】
【００２１】
以下に、本発明にかかる駐車違反業務用携帯端末および駐車違反業務用プログラムの実施例を図面に基づいて詳細に説明する。なお、この実施例によりこの発明が限定されるものではない。
【実施例】
【００２２】
まず、本実施例に係る駐車違反業務用携帯端末１００の構成について説明する。駐車違反業務用携帯端末１００は、駐車違反の取り締まり業務に従事する警察官もしくは駐車監視員が携帯する端末装置であり、放置駐車されている車両が駐車違反に該当しているか否かの判定を支援し、駐車違反に該当していると判定された場合に報告処理等をおこなうための装置である。
【００２３】
図１に示すように、駐車違反業務用携帯端末１００は、表示部１１０と、入力部１２０と、ＧＰＳ（Global  Positioning  System）１３０と、カメラ１４０と、通信部１５０と、制御部１６０と、記憶部１７０とを有する。
【００２４】
表示部１１０は、画像情報や文字情報を表示する装置であり、例えば、液晶表示装置等からなる。入力部１２０は、利用者が情報の入力や、作業指示をおこなう装置であり、例えば、キーパッド等からなる。表示部１１０と入力部１２０は、タッチパネルのように一体の装置として構成されていてもよい。
【００２５】
ＧＰＳ１３０は、人工衛星を利用して現在位置を取得する装置である。カメラ１４０は、駐車違反の現場の画像を撮影するためのカメラである。通信部１５０は、駐車違反業務用携帯端末１００内に蓄積された駐車違反データを中央処理装置等へ送信するための通信装置である。なお、ＧＰＳ１３０、カメラ１４０および通信部１５０は、必ずしも駐車違反業務用携帯端末１００に内蔵されている必要はなく、駐車違反業務用携帯端末１００と外部接続される構成とすることもできる。
【００２６】
制御部１６０は、駐車違反業務用携帯端末１００を全体制御する制御部であり、地図表示部１６１と、施設情報抽出部１６２と、距離算出部１６３と、適用条文選択部１６４と、適用候補表示部１６５と、見取り図生成部１６６と、駐車違反情報記録部１６７と、駐車違反情報送信部１６８とを有する。
【００２７】
地図表示部１６１は、記憶部１７０の地図情報１７１を基にして表示部１１０に地図を表示する処理部である。地図表示部１６１は、ＧＰＳ１３０が取得した現在位置を中心とした地図を初期状態で表示し、入力部１２０の操作に従って、地図のスクロールや拡大／縮小表示をおこなう。また、地図表示部１６１は、利用者が地図上において車両の駐車位置としてポイントした位置を取得し、施設情報抽出部１６２へ引き渡す。
【００２８】
施設情報抽出部１６２は、地図表示部１６１から車両の駐車位置として引き渡された位置を基準として所定の緯度／経度の範囲内にある交差点等の道路形状の情報と、信号機や消火栓等の施設の情報とを記憶部１７０の施設情報１７２から抽出する処理部である（以下の説明では、特にことわりがない限り、「施設」という語は、道路形状と施設の両方を意味するものとする）。
【００２９】
また、施設情報抽出部１６２は、記憶部１７０の駐車違反適用除外ルール１７５を参照して上記で抽出した各施設が駐車違反となる時間帯外にあるか否かを確認し、駐車違反となる時間帯外にある場合は、その施設を抽出結果から除外する処理もおこなう。
【００３０】
図２は、施設情報１７２の一例を示すサンプル図である。施設情報１７２は、駐車違反に関連する施設の情報が予め登録されたものであり、図２に示すように、施設ＩＤ、施設名、種別、緯度、経度、シンボルといった項目を有し、施設ごとにデータが作成される。
【００３１】
施設ＩＤは、施設を識別するためのＩＤであり、施設名は、施設の名前である。種別は、施設の情報と駐車違反適用ルール１７４とを照合する際にキーとなる項目であり、「交差点」、「横断歩道」といった所定の語が設定される。緯度と経度は、施設の所在地の緯度と経度を示す。シンボルは、その施設を地図上に表示する場合に用いる画像データの名前である。
【００３２】
図２の１行目のデータは、「０００１」という施設ＩＤで識別される施設を表している。この施設の施設名は「本町交差点」で、種別は「交差点」である。また、この施設は、緯度が「１３０°５６′１３″」、経度が「３０°５６′１３″」に位置し、地図上へは「０００１．ｇｉｆ」という名前の画像データを用いてシンボル表示される。
【００３３】
図３は、駐車違反適用除外ルール１７５の一例を示すサンプル図である。駐車違反適用除外ルール１７５は、施設が駐車違反の要件とならない時間帯の情報が予め登録されたものであり、図３に示すように、施設ＩＤ、時間帯といった項目を有し、施設ごとにデータが作成される。
【００３４】
施設ＩＤは、施設を識別するためのＩＤであり、施設情報１７２の施設ＩＤと対応する。時間帯は、その施設が駐車違反の要件とならない時間帯を示す。
【００３５】
図３の１行目のデータは、「０００３」という施設ＩＤで識別される施設は、「２３：００〜５：００」の時間帯は駐車違反の要件とならないことを意味している。「０００３」という施設ＩＤで識別される施設の詳細は、施設情報１７２において定義されている。
【００３６】
距離算出部１６３は、車両の駐車位置としてポイントされた位置と施設情報抽出部１６２により抽出された各施設との距離を算出する処理部である。距離の算出には、記憶部１７０の見取り図オブジェクト１７３が利用される。
【００３７】
図４は、見取り図オブジェクト１７３の一例を示すサンプル図である。見取り図オブジェクト１７３は、施設に関連する見取り図を生成するための情報であり、車両の駐車位置と施設との距離を算出するためにも利用される。
【００３８】
図４に示すように、見取り図オブジェクト１７３は、施設ＩＤ、オブジェクトといった項目を有し、施設ごとにデータが作成される。施設ＩＤは、施設を識別するためのＩＤであり、施設情報１７２の施設ＩＤと対応する。オブジェクトは、施設の形状を示すベクトルデータと、施設の周辺の形状を示すベクトルデータと、車両の駐車位置との距離を測定するための基準点データとからなるデータである。
【００３９】
基準点は、施設ごとに複数設定することができ、距離算出部１６３は、各基準点と車両の駐車位置との距離を求め、最も短い距離を車両の駐車位置と施設の距離とする。また、施設に基準点が設定されていない場合には、施設の形状の外周との最短距離を求め、この距離を車両の駐車位置と施設の距離とする。
【００４０】
適用条文選択部１６４は、施設情報抽出部１６２により抽出された施設の情報と、距離算出部１６３により算出された距離とを記憶部１７０の駐車違反適用ルール１７４と照合して、駐車違反の根拠となりうる罰条を適用候補として選択する処理部である。
【００４１】
図５は、駐車違反適用ルール１７４の一例を示すサンプル図である。駐車違反適用ルール１７４は、罰条ごとに駐車違反と認定するための要件を定義したものであり、図５に示すように、ＸＭＬ（Extensible  Markup  Language）に類似した記法で記述される。
【００４２】
駐車違反適用ルール１７４においては、罰条ごとの適用ルールが＜ｒｕｌｅ＞という開始タグと＜／ｒｕｌｅ＞という終了タグで囲んで記述される。＜ｒｕｌｅ＞タグは、ｃｏｕｎｔという属性をもち、この属性は、その罰条において駐車違反の要件とされている施設の数を表す。
【００４３】
＜ｒｕｌｅ＞タグと＜／ｒｕｌｅ＞タグの間には、＜ｎａｍｅ＞タグと＜／ｎａｍｅ＞タグで囲まれた罰条の条文名と、＜ｔｅｘｔ＞タグと＜／ｔｅｘｔ＞タグで囲まれた罰条の条文とが記述される。罰条の条文には、駐車違反を認定するための要件を定義するタグがさらに設定される。
【００４４】
罰条の条文において＜ｉｔｅｍ＞タグと＜／ｉｔｅｍ＞タグで囲まれた部分は、駐車違反の要件となる施設を表し、＜ｒｕｌｅ＞タグのｃｏｕｎｔ属性と同じ数だけ存在する。＜ｉｔｅｍ＞タグは、２つの属性をもつことができる。一つは、ｉｄ属性であり、罰条内において施設を区別するための識別子である。もう一つは、ａｌｔ属性であり、施設情報１７２の種別と照合するための別名が設定される。ａｌｔ属性が設定されていない場合は、＜ｉｔｅｍ＞タグと＜／ｉｔｅｍ＞タグで囲まれた名前によって照合がおこなわれる。
【００４５】
また、罰条の条文において＜ｄｉｓｔａｎｃｅ＞タグと＜／ｄｉｓｔａｎｃｅ＞タグで囲まれた部分は、施設との距離の要件を表す。＜ｄｉｓｔａｎｃｅ＞タグは、ｉｄ属性をもち、この属性によって同じ値のｉｄ属性をもつ施設と関連付けされる。
【００４６】
罰条の条文において距離との関連付けがなされている施設は、車両の駐車位置との距離がその距離よりも小さい場合に、駐車違反を認定する有効な要件となる。罰条の条文において距離との関連づけがおこなわれていない施設は、その横断歩道等の施設上に車両が駐車されている場合に、駐車違反を認定する有効な要件となる。
【００４７】
図５の例では、＜ｒｕｌｅ＞タグのｃｏｕｎｔ属性の値は３であり、この罰条には駐車違反の要件とされている施設が３つ含まれていることを示している。また、＜ｎａｍｅ＞タグと＜／ｎａｍｅ＞タグで囲まれた文字列は、「第４５条IV」であり、これが罰条の条文名であることを示している。
【００４８】
＜ｔｅｘｔ＞タグと＜／ｔｅｘｔ＞タグで囲まれた条文においては、「消火栓」、「指定消防水利の標識」および「消防用防火水槽」という３つの文字列が＜ｉｔｅｍ＞タグと＜／ｉｔｅｍ＞タグで囲まれ、それぞれ、「１」、「２」および「３」という識別子が割り当てられている。そして、「指定消防水利の標識」には「消防水利標識」という別名が設定されている。
【００４９】
また、条文においては「５」という値が＜ｄｉｓｔａｎｃｅ＞タグと＜／ｄｉｓｔａｎｃｅ＞タグで囲まれ、「１」、「２」および「３」という識別子と関連付けられている。
【００５０】
この適用ルールは、施設情報抽出部１６２により抽出された施設の情報の中に、種別が「消火栓」、「消防水利標識」もしくは「消防用防火水槽」であり、車両の駐車位置とされた地点から「５」メートル以内の距離にある施設が存在すれば、「第４５条IV」が駐車違反の根拠の候補となることを意味している。
【００５１】
このように、条文にタグを設定したものを罰条選択のためのルールとすることにより、条文に沿って確実にルールを設定することが可能になる。また、罰条選択のための要件となる部分にタグが設定されるため、後述するように、最適な罰条を選択するために条文を表示する際に重要部分を容易に強調表示することができる。
【００５２】
適用候補表示部１６５は、適用条文選択部１６４により選択された罰条の一覧を表示部１１０に一覧表示し、適用する罰条の選択を利用者に求める処理部である。罰条の一覧は、条文名を所定の優先順位に基づいて並べて表示される。
【００５３】
適用候補表示部１６５は、利用者から罰条の詳細の表示を求められると、駐車違反適用ルール１７４からその罰条に対応する条文を取得して表示部１１０に表示する。例えば、罰条の一覧から「第４５条IV」の詳細の表示が求められると、図５において＜ｔｅｘｔ＞タグと＜／ｔｅｘｔ＞タグで囲まれた部分が取得されて表示される。このとき、タグが設定された「消火栓」、「指定消防水利の標識」、「消防用防火水槽」および「５」の部分が色を変える等して強調表示され、罰条選択のための重要な要件部分であることが明示される。
【００５４】
見取り図生成部１６６は、適用候補表示部１６５において選択された罰条が駐車違反の根拠となるための有効な要件となっている施設の見取り図を生成する処理部である。駐車違反の根拠となるための有効な要件となっている施設とは、施設情報抽出部１６２により抽出された施設のうち、選択された罰条の適用ルールに適合した施設のことである。
【００５５】
見取り図は、見取り図オブジェクト１７３に格納されている施設の形状を示すベクトルデータと、施設の周辺の形状を示すベクトルデータとから生成される。また、選択された罰条の適用ルールに距離の要件が含まれている場合は、車両の駐車位置と施設との距離を表す矢印線も生成される。
【００５６】
駐車違反情報記録部１６７は、適用候補表示部１６５において選択された罰条の情報や見取り図生成部１６６によって生成された見取り図等を記憶部１７０の駐車違反情報１７６に記録する処理部である。駐車違反情報１７６には、カメラ１４０にて撮影された現場の画像データ等もこれらの情報と関連付けされて記憶される。
【００５７】
駐車違反情報送信部１６８は、駐車違反情報１７６に記録されている情報を通信部１５０を介して中央処理装置等へ送信する処理部である。送信された情報は、罰条、見取り図、カメラ画像の整合性の確認等がおこなわれた後、罰金の請求処理等に用いられる。
【００５８】
記憶部１７０は、各種情報を記憶する記憶部であり、地図情報１７１と、施設情報１７２と、見取り図オブジェクト１７３と、駐車違反適用ルール１７４と、駐車違反適用除外ルール１７５と、駐車違反情報１７６とを記憶する。記憶部１７０が記憶するこれらの情報については、既に説明済みであるので説明を省略する。
【００５９】
次に、駐車違反業務用携帯端末１００の処理手順について説明する。図６は、車両の駐車位置をポイントするための地図を表示するまでの処理手順を示すフローチャートである。
【００６０】
同図に示すように、地図表示部１６１は、ＧＰＳ１３０から現在位置を取得し（ステップＳ１０１）、地図情報１７１から現在位置付近のデータを取得して表示部１１０に表示する（ステップＳ１０２）。さらに、施設情報１７２から現在位置付近の施設の情報を取得し、地図上に各施設のシンボルを表示する（ステップＳ１０３）。
【００６１】
図７は、地図表示部１６１による地図表示の一例を示すサンプル図である。同図の例では、地図上に信号機とバス停がシンボルとして表示されている。この地図上のいずれかの位置をポイントしてＯＫボタンを押下すると、ポイントされた位置が車両の駐車位置として指定されたこととなる。
【００６２】
図８は、放置駐車されている車両に適用する罰条の候補を表示するまでの処理手順を示すフローチャートである。
【００６３】
施設情報抽出部１６２は、地図上でポイントされた位置の情報を取得すると（ステップＳ２０１）、その位置から一定範囲内の緯度／経度にある施設の情報を施設情報１７２から取得する（ステップＳ２０２）。ここで、駐車違反適用除外ルールを参照し、現時刻が駐車違反の対象時間帯外にあたる施設があれば、その施設の情報を上記の取得結果から除外する（ステップＳ２０３）。
【００６４】
続いて、距離算出部１６３が、上記で取得された各施設と地図上でポイントされた位置との距離を算出する（ステップＳ２０４）。そして、適用条文選択部１６４が、各施設の情報および距離と駐車違反適用ルール１７４とを照合して、駐車している車両に適用可能な罰条を選択し（ステップＳ２０５）、適用候補表示部１６５が選択された罰条を一覧表示する（ステップＳ２０６）。
【００６５】
図９は、駐車違反に関する情報を駐車違反情報１７６に記録するまでの処理手順を示すフローチャートである。適用候補表示部１６５が表示した一覧において罰条が選択されると、選択された罰条が駐車違反情報画面に表示される（ステップＳ３０１）。
【００６６】
また、選択された罰条が駐車違反の根拠となるための有効な要件となっている施設の見取り図を見取り図生成部１６６が生成し、これを駐車違反情報画面に追加する（ステップＳ３０２）。そして、駐車違反情報画面には関連する他の情報が表示され（ステップＳ３０３）、これらの情報は利用者の指示に従って駐車違反情報１７６に記録される（ステップＳ３０４）。
【００６７】
図１０は、駐車違反情報画面の一例を示すサンプル図である。同図に示すように、駐車違反情報画面には、選択された罰条や生成された見取り図の他に、違反車両の情報や画像が表示される。これらの情報は、上記で説明した処理手順の前もしくは後に入力されたものである。
【００６８】
上記実施例で説明した駐車違反業務用携帯端末１００の各種の処理は、あらかじめ用意された駐車違反業務用プログラムをコンピュータで実行することによって実現することができる。そこで、以下では、図１１を用いて、駐車違反業務用プログラムを実行するコンピュータの一例を説明する。
【００６９】
図１１は、駐車違反業務用プログラムを実行するコンピュータを示す機能ブロック図である。このコンピュータ１０００は、ユーザからのデータの入力を受け付ける入力装置１０１０、モニタ１０２０、各種プログラムを記録した記録媒体からプログラムを読み取る媒体読取装置１０３０、ネットワークを介して他のコンピュータとの間でデータの授受をおこなうネットワークインターフェース装置１０４０、ＧＰＳ１０５０、カメラ１０６０、ＨＤＤ（Hard  Disk  Drive）１０７０、ＲＡＭ（Random  Access  Memory）１０８０およびＣＰＵ（Central  Processing  Unit）１０９０をバス１１００で接続して構成される。
【００７０】
そして、ＨＤＤ１０７０には、駐車違反業務用携帯端末１００の機能と同様の機能を発揮するプログラムである駐車違反業務用プログラム１０７２が記憶されている。そして、ＣＰＵ１０９０が、駐車違反業務用プログラム１０７２をＨＤＤ１０７０から読み出して実行することにより、同プログラムは、駐車違反業務用プロセス１０９１として機能するようになる。
【００７１】
また、ＨＤＤ１０７０は、記憶部１７０の各種情報に対応する駐車違反業務用情報ベース１０７１を記憶する。そして、駐車違反業務用プロセス１０９１は、ＨＤＤ１０７０に記憶された駐車違反業務用情報ベース１０７１から適宜必要な情報を読み出してＲＡＭ１０８０に駐車違反業務用情報１０８１として格納し、このＲＡＭ１０８０に格納された駐車違反業務用情報１０８１を用いて各種処理を実行する。
【００７２】
なお、上記の駐車違反業務用プログラム１０７２については、必ずしもＨＤＤ１０７０に格納されている必要はなく、ＣＤ−ＲＯＭ等の記憶媒体に記憶された駐車違反業務用プログラム１０７２を、コンピュータ１０００が読み出して実行するようにしてもよい。また、公衆回線、インターネット、ＬＡＮ、ＷＡＮ等を介してコンピュータ１０００に接続される他のコンピュータ（またはサーバ）などに駐車違反業務用プログラム１０７２を記憶させておき、コンピュータ１０００がこれらからプログラムを読み出して実行するようにしてもよい。
【産業上の利用可能性】
【００７３】
以上のように、本発明にかかる駐車違反業務用携帯端末および駐車違反業務用プログラムは、駐車違反の取り締まり業務に有用であり、特に、駐車違反業務における罰条の特定や見取り図の作成を支援することが必要な場合に適している。
【図面の簡単な説明】
【００７４】
【図１】図１は、駐車違反業務用携帯端末の構成を示す機能ブロック図である。
【図２】図２は、施設情報の一例を示すサンプル図である。
【図３】図３は、駐車違反適用除外ルールの一例を示すサンプル図である。
【図４】図４は、見取り図オブジェクトの一例を示すサンプル図である。
【図５】図５は、駐車違反適用ルールの一例を示すサンプル図である。
【図６】図６は、車両の駐車位置をポイントするための地図を表示するまでの処理手順を示すフローチャートである。
【図７】図７は、地図表示部による地図表示の一例を示すサンプル図である。
【図８】図８は、放置駐車されている車両に適用する罰条の候補を表示するまでの処理手順を示すフローチャートである。
【図９】図９は、駐車違反に関する情報を駐車違反情報に記録するまでの処理手順を示すフローチャートである。
【図１０】図１０は、駐車違反情報画面の一例を示すサンプル図である。
【図１１】図１１は、駐車違反業務用プログラムを実行するコンピュータを示す機能ブロック図である。
【符号の説明】
【００７５】
１００  駐車違反業務用携帯端末
１１０  表示部
１２０  入力部
１３０  ＧＰＳ
１４０  カメラ
１５０  通信部
１６０  制御部
１６１  地図表示部
１６２  施設情報抽出部
１６３  距離算出部
１６４  適用条文選択部
１６５  適用候補表示部
１６６  見取り図生成部
１６７  駐車違反情報記録部
１６８  駐車違反情報送信部
１７０  記憶部
１７１  地図情報
１７２  施設情報
１７３  見取り図オブジェクト
１７４  駐車違反適用ルール
１７５  駐車違反適用除外ルール
１７６  駐車違反情報
１０００  コンピュータ
１０１０  入力装置
１０２０  モニタ
１０３０  媒体読取装置
１０４０  ネットワークインターフェース装置
１０５０  ＧＰＳ
１０６０  カメラ
１０７０  ＨＤＤ
１０７１  駐車違反業務用データベース
１０７２  駐車違反業務用プログラム
１０８０  ＲＡＭ
１０８１  駐車違反業務用情報
１０９０  ＣＰＵ
１０９１  駐車違反業務用プロセス
１１００  バス
【図１】
0004621256.tif 000002
【図２】
0004621256.tif 000003
【図３】
0004621256.tif 000004
【図４】
0004621256.tif 000005
【図５】
0004621256.tif 000006
【図６】
0004621256.tif 000007
【図７】
0004621256.tif 000008
【図８】
0004621256.tif 000009
【図９】
0004621256.tif 000010
【図１０】
0004621256.tif 000011
【図１１】
0004621256.tif 000012